(57)【特許請求の範囲】
【請求項１】
収納筒体（２１）に、先端側にブラシ毛（２８）を有するブラシ本体（２７）が収納され、収納筒体（２１）の長手方向に長孔（２４）が設けられ、ブラシ本体（２７）に、操作体（３３）が長孔（２４）から外方突出するように設けられ、操作体（３３）を長孔（２４）に沿って移動操作することにより、ブラシ毛（２８）が収納筒体（２１）内に収まる収納位置Ａとブラシ毛（２８）が収納筒体（２１）の先端から突出する使用位置Ｂとに、ブラシ本体（２７）を移動させるようにした化粧用ブラシにおいて、
収納筒体（２１）とブラシ本体（２７）との間に、前記長孔（２４）からブラシ本体（２７）のブラシ毛（２８）が外方突出しないように規制する規制部材（４１）が設けられ、
前記規制部材（４１）は、ブラシ毛（２８）が長孔（２４）から突出しないように規制する規制位置Ｃと、操作体（３３）の移動操作を妨げないように退避する退避位置Ｄとに移動自在とされ、ブラシ本体（２７）のブラシ毛（２８）が長孔（２４）側に位置するとき、規制部材（４１）が規制位置Ｃに位置すると共に、ブラシ本体（２７）のブラシ毛（２８）が長孔（２４）の前方に位置するとき、規制部材（４１）が退避位置Ｄに位置するように、規制部材（４１）が操作体（３３）の移動操作に連動せしめられていることを特徴とする化粧用ブラシ。
【請求項２】
収納筒体（２１）に、先端側にブラシ毛（２８）を有するブラシ本体（２７）が収納され、収納筒体（２１）の長手方向に長孔（２４）が設けられ、ブラシ本体（２７）に、操作体（３３）が長孔（２４）から外方突出するように設けられ、操作体（３３）を長孔（２４）に沿って移動操作することにより、ブラシ毛（２８）が収納筒体（２１）内に収まる収納位置Ａとブラシ毛（２８）が収納筒体（２１）の先端から突出する使用位置Ｂとに、ブラシ本体（２７）を移動させるようにした化粧用ブラシにおいて、
収納位置Ａにあるブラシ本体（２７）のブラシ毛（２８）の中途部に長孔（２４）の先端が達するように、前記長孔（２４）が収納筒体（２１）に形成され、収納筒体（２１）とブラシ本体（２７）との間に、前記長孔（２４）からブラシ本体（２７）のブラシ毛（２８）が外方突出しないように規制する規制部材（４１）が、長孔（２４）の先端側とブラシ本体（２７）のブラシ毛（２８）との間を塞ぐように設けられ、操作体（３３）が長孔（２４）に沿って長孔（２４）の先端側を移動するのを妨げないように、前記規制部材（４１）が長孔（２４）の先端側から退避可能に構成され、
前記規制部材（４１）は、ブラシ毛（２８）が長孔（２４）から突出しないように規制する規制位置Ｃと、操作体（３３）の移動操作を妨げないように退避する退避位置Ｄとに移動自在とされ、ブラシ本体（２７）のブラシ毛（２８）が長孔（２４）側に位置するとき、規制部材（４１）が規制位置Ｃに位置すると共に、ブラシ本体（２７）のブラシ毛（２８）が長孔（２４）の前方に位置するとき、規制部材（４１）が退避位置Ｄに位置するように、規制部材（４１）が操作体（３３）の移動操作に連動せしめられていることを特徴とする化粧用ブラシ。
【発明の詳細な説明】
【０００１】
【発明の属する技術分野】
本発明は、パウダーブラシ等の化粧用ブラシに関するものである。
【０００２】
【従来の技術】
パウダーブラシ等の化粧用ブラシには、図１１〜図１３に示すように、収納筒体１に、先端側にブラシ毛２を有するブラシ本体３を収納し、収納筒体１の長手方向に長孔４を設け、ブラシ本体３に、操作体５を長孔４から外方突出するように設け、操作体５を長孔４に沿って移動操作することにより、図１１に示すようにブラシ毛２が収納筒体１内に収まる収納位置と、図１２に示すようにブラシ毛２が収納筒体１の先端から突出する使用位置とに、ブラシ本体３を移動させるように構成したものがある。
【０００３】
しかし、この場合、長孔４の先端が、収納位置にあるブラシ本体３のブラシ毛２の中途部に達するように、前記長孔４を収納筒体１に形成しているため、収納位置から使用位置にブラシ本体１３を移動させる際に、図１３に示すようにブラシ毛２が長孔４の先端側の縁部に引っ掛かり、このためブラシ毛２が折れ曲がってしまうという問題があった。
そこで、従来のこの種の化粧用ブラシには、図１４及び図１５に示すように、長孔４の先端が、収納位置にあるブラシ本体１３のブラシ毛２よりも基端側に位置するように、長孔４を形成し、これによりブラシ本体３を使用位置に移動させる際に、ブラシ毛２が長孔４の先端側の縁部に引っ掛かからないようにして、ブラシ毛２が上記の如く折れ曲がるのを防止するようにしたものがある。なお、図１４に示す７は収納筒体１に着脱自在に套嵌されるキャップである。
【０００４】
【発明が解決しようとする課題】
しかし、この従来の場合、使用する際にブラシ毛２が十分に突出するようにするため、収納筒体１に、ブラシ毛２の長さに対応して長孔４を収納筒体１の基端側に長く形成すると共に、操作体５を、ブラシ本体３の、ブラシ毛２から十分に基端側に離れた位置に突出させる必要があり、このため収納筒体１及びブラシ本体３が長くなって、化粧用ブラシ全体が長くなり、化粧用ブラシをコンパクトに形成することができなくなるという問題があった。
【０００５】
本発明は上記問題点に鑑み、ブラシ本体を使用位置に移動させる際に、ブラシ毛が長孔の先端側の縁部に引っ掛かることがなくて、ブラシ毛が折れ曲がるのを防止できると同時に、化粧用ブラシをコンパクトに形成することができるようにしたものである。
【０００６】
【課題を解決するための手段】
この技術的課題を解決するための本発明の技術的手段は、収納筒体２１に、先端側にブラシ毛２８を有するブラシ本体２７が収納され、収納筒体２１の長手方向に長孔２４が設けられ、ブラシ本体２７に、操作体３３が長孔２４から外方突出するように設けられ、操作体３３を長孔２４に沿って移動操作することにより、ブラシ毛２８が収納筒体２１内に収まる収納位置Ａとブラシ毛２８が収納筒体２１の先端から突出する使用位置Ｂとに、ブラシ本体２７を移動させるようにした化粧用ブラシにおいて、
収納筒体２１とブラシ本体２７との間に、前記長孔２４からブラシ本体２７のブラシ毛２８が外方突出しないように規制する規制部材４１が設けられ、
【０００７】
前記規制部材４１は、ブラシ毛２８が長孔２４から突出しないように規制する規制位置Ｃと、操作体３３の移動操作を妨げないように退避する退避位置Ｄとに移動自在とされ、ブラシ本体２７のブラシ毛２８が長孔２４側に位置するとき、規制部材４１が規制位置Ｃに位置すると共に、ブラシ本体２７のブラシ毛２８が長孔２４の前方に位置するとき、規制部材４１が退避位置Ｄに位置するように、規制部材４１が操作体３３の移動操作に連動せしめられている点にある。
【０００８】
本発明の他の技術的手段は、収納筒体２１に、先端側にブラシ毛２８を有するブラシ本体２７が収納され、収納筒体２１の長手方向に長孔２４が設けられ、ブラシ本体２７に、操作体３３が長孔２４から外方突出するように設けられ、操作体３３を長孔２４に沿って移動操作することにより、ブラシ毛２８が収納筒体２１内に収まる収納位置Ａとブラシ毛２８が収納筒体２１の先端から突出する使用位置Ｂとに、ブラシ本体２７を移動させるようにした化粧用ブラシにおいて、
収納位置Ａにあるブラシ本体２７のブラシ毛２８の中途部に長孔２４の先端が達するように、前記長孔２４が収納筒体２１に形成され、収納筒体２１とブラシ本体２７との間に、前記長孔２４からブラシ本体２７のブラシ毛２８が外方突出しないように規制する規制部材４１が、長孔２４の先端側とブラシ本体２７のブラシ毛２８との間を塞ぐように設けられ、操作体３３が長孔２４に沿って長孔２４の先端側を移動するのを妨げないように、前記規制部材４１が長孔２４の先端側から退避可能に構成され、
前記規制部材４１は、ブラシ毛２８が長孔２４から突出しないように規制する規制位置Ｃと、操作体３３の移動操作を妨げないように退避する退避位置Ｄとに移動自在とされ、ブラシ本体２７のブラシ毛２８が長孔２４側に位置するとき、規制部材４１が規制位置Ｃに位置すると共に、ブラシ本体２７のブラシ毛２８が長孔２４の前方に位置するとき、規制部材４１が退避位置Ｄに位置するように、規制部材４１が操作体３３の移動操作に連動せしめられている点にある。
【０００９】
【発明の実施の形態】
以下、本発明の実施の形態を図面に基いて説明する。
図１〜図５は化粧用ブラシの一例として顔に白粉を付けるためのパウダーブラシを示している。同図において、２１は収納筒体で、長円形の筒状に形成された胴部２２と、基端に設けられた閉塞壁２５とを有し、収納筒体２１の先端に先端開口部２３が設けられ、基端は閉塞されている。収納筒体２１の胴部２２に長孔２４が長手方向に形成されている。
【００１０】
２７はブラシ本体で、先端側に束ねられた多数のブラシ毛２８を有すると共に、該先端側のブラシ毛２８を束状に保持するブラシ保持具２９を有している。ブラシ本体２７はブラシ毛２８が先端開口部２３から出退するように収納筒体２１内に長手方向移動自在に収納されている。ブラシ保持具２９には一対の摺動脚部３０が基端側に突出されている。
ブラシ本体２７に、操作体３３が長孔２４から外方突出するように設けられている。この操作体３３は、操作頭部３４と一対の支持脚部３５とを有している。一対の支持脚部３５を、ブラシ本体２７の一方の摺動脚部３０に取付孔３６を介して挿通し、支持脚部３５先端の係合爪３７を、摺動脚部３０の取付孔３６の開口縁部に係合して抜け止めすることにより、操作体３３が一方の摺動脚部３０に装着され、一対の支持脚部３５が長孔２４内に挿通されて、操作頭部３４が長孔２４より収納筒体２１の外部に突出されている。
【００１１】
而して、操作体３３を長孔２４に沿って該長孔２４の基端側に移動操作することにより、図１に示す如くブラシ毛２８が収納筒体２１内に収まる収納位置Ａに、ブラシ本体２７を移動させることができると共に、操作体３３を長孔２４に沿って該長孔２４の先端側に移動操作することにより、図５に示す如くブラシ毛２８が収納筒体２１の先端から突出する使用位置Ｂに、ブラシ本体２７を移動させることができるように構成されている。
収納位置Ａにあるブラシ本体２７のブラシ毛２８の中途部に長孔２４の先端が達するように、前記長孔２４は収納筒体２１の胴部２２に形成され、収納筒体２１とブラシ本体２７との間に、長孔２４からブラシ本体２７のブラシ毛２８が外方突出しないように規制する規制部材４１が設けられている。
【００１２】
規制部材４１は図４に示すように長方形板状に形成され、規制部材４１の基端側に、前記長孔２４に対応して該長孔２４の半分程度の長さの長孔４２が設けられている。規制部材４１の先端側は、長孔２４の先端側とブラシ本体２７のブラシ毛２８との間を塞ぐ閉塞部４４とされている。
規制部材４１の長孔４２の先端側縁部に、先端ストッパー４７が突設され、規制部材４１の長孔４２の基端側縁部に、基端ストッパー４８が突設されている。先端ストッパー４７が長孔２４の先端開口縁部に接当して、規制部材４１の先端側への移動を後述の退避位置Ｄで規制し、基端ストッパー４８が長孔２４の基端開口縁部に接当して、規制部材４１の基端側への移動を後述の規制位置Ｃで規制するようになっている。
【００１３】
前記操作体３３の一対の支持脚部３５が、前記収納筒体２１の長孔２４と規制部材４１の長孔４２とに挿通されている。これにより、規制部材４１が、長孔２４からブラシ本体２７のブラシ毛２８が外方突出しないように規制すると共に、規制部材４１が、操作体３３の移動操作に連動して、操作体３３が長孔２４に沿って長孔２４の先端側を移動するのを妨げないように、退避可能に構成されている。
即ち、長孔２４の先端側とブラシ本体２７のブラシ毛２８との間を閉塞部４４で塞ぐ規制位置Ｃと、操作体３３が長孔２４に沿って長孔２４の先端側を移動するのを妨げないように、閉塞部４４が収納筒体２１の長孔２４前方に位置する退避位置Ｄとに、規制部材４１は移動自在とされ、図１に示す如くブラシ本体２７のブラシ毛２８が長孔２４側に位置するとき、ブラシ毛２８が長孔２４から突出しないように、規制部材４１が規制位置Ｃに位置すると共に、図５に示す如くブラシ本体２７のブラシ毛２８が長孔２４の前方に位置するとき、操作体３３の移動操作を妨げないように、規制部材４１が退避位置Ｄに位置するように、規制部材４１が操作体３３の移動操作に連動するようになっている。
【００１４】
４５は収納筒体２１に着脱自在に套嵌されるキャップである。
上記実施の形態によれば、化粧用ブラシを使用する場合、図１に示すようにブラシ本体２７が収納位置Ａにある状態から、キャップ４７を収納筒体２１の先端側から取り外した後、図５に鎖線で示す如くキャップ４７を収納筒体２１の基端側に套嵌して、キャップ４７で操作体３３を長孔２４に沿って該長孔２４の先端側に移動操作すればよく、これによりブラシ本体２７が収納筒体２１に対して先端側に移動し、図５に示すようにブラシ本体２７が使用位置Ｂに移動したとき、操作体５が規制部材４１の先端ストッパー４７を介して長孔２４の先端開口縁部に接当し、ブラシ毛２８が収納筒体２１の先端開口部２３から突出した使用状態になる。
【００１５】
このように、ブラシ本体２７が収納位置Ａから使用位置Ｂに移動する際において、ブラシ本体２７のブラシ毛２８が長孔２４の先端側に位置するとき、規制部材４１が規制位置Ｃにあるため、長孔２４の先端側とブラシ本体２７のブラシ毛２８との間を規制部材４１の閉塞部４４で塞ぎ、ブラシ毛２８が長孔２４から突出しないように、規制部材４１が規制する。
そして、ブラシ本体２７が収納位置Ａから使用位置Ｂに移動する途中で、操作体３３が規制部材４１の先端ストッパー４７（長孔４２の先端開口縁部）に接当し、操作体３３が規制部材４１を先端側に押圧する。従って、ブラシ本体２７が収納位置Ａから使用位置Ｂ側に移動して、ブラシ本体２７のブラシ毛２８が長孔２４の前方に位置するようになると、操作体３３により先端ストッパー４７が押圧されて、規制部材４１が次第に先端側に移動し、最終的には先端ストッパー４７が長孔２４の先端開口縁部に接当して、操作体３３の移動操作を妨げないように規制部材４１が退避位置Ｄに移動するため、操作体３３が長孔２４に沿って長孔２４の先端側を移動するのを妨げることがなくなる。
【００１６】
化粧用ブラシを使用した後にブラシ本体２７を収納筒体２１に収納する場合、図５に示すようにブラシ本体２７が使用位置Ｂにある状態から、操作体３３を長孔２４に沿って該長孔２４の基端側に移動操作すればよく、これによりブラシ本体２７が収納筒体２１に対して基端側に移動して、ブラシ本体２７が収納位置Ａに移動し、ブラシ毛２８が収納筒体２１内に収まる。このように、ブラシ本体２７が使用位置Ｂから収納位置Ａに移動する途中において、操作体３３が規制部材４１の長孔４２内を基端側に移動して、操作体３３が規制部材４１の基端ストッパー４８に接当し、操作体３３が規制部材４１を基端側に押圧する。
【００１７】
その結果、操作体３３により基端ストッパー４８が押圧されて、規制部材４１が次第に基端側に移動し、最終的には基端ストッパー４８が長孔２４の基端開口縁部に接当して、規制部材４１の基端側への移動が規制され、規制部材４１が規制位置Ｃに移動して止まる。従って、規制部材４１が退避位置Ｄから規制位置Ｃに移動し、長孔２４の先端側とブラシ本体２７のブラシ毛２８との間を規制部材４１の閉塞部４４で塞いだ状態になる。
従って、収納筒体２１とブラシ本体２７との間に、長孔２４からブラシ本体２７のブラシ毛２８が外方突出しないように規制する規制部材４１があるため、ブラシ本体２７を使用位置に移動させる際に、規制部材４１により、ブラシ毛２８が長孔２４の先端側縁部に引っ掛かかってブラシ毛２８が折れ曲がるのを確実に防止することができる。しかも、長孔２４の先端が、収納位置にあるブラシ本体２７のブラシ毛２８の中途部に位置するように、長孔２４を形成しているので、収納筒体２１及びブラシ本体２７を極力短く形成することができ、化粧用ブラシ全体を短くてコンパクトに形成することができる。
【００１８】
図６は他の実施の形態を示し、前記規制部材４１の基端ストッパー４８を、長手方向基端側に延長すると共にＬ字状に屈曲して形成し、収納筒体２１の閉塞壁２５に接当させるようにしたものである。その他の点は前記図１〜図５の実施の形態の場合と同様の構成である。
図７は他の実施の形態を示し、前記規制部材４１を収納筒体２１に対応する筒状に形成し、この規制部材４１を収納筒体２１に長手方向移動自在に内嵌するようにしたものである。その他の点は前記図１〜図５の実施の形態の場合と同様の構成である。
【００１９】
図８は他の実施の形態を示し、前記規制部材４１を収納筒体２１に対応するＵ字状に形成し、規制部材４１を収納筒体２１に長手方向移動自在に内嵌するようにしたものである。その他の点は前記図１〜図５の実施の形態の場合と同様の構成である。
図９は他の実施の形態を示し、キャップ４５の開口端側に操作体３３の操作頭部３４に嵌合する嵌合凹部５１を設け、ブラシ本体２７を収納筒体２１内に収納して収納筒体２１にキャップ４５を外嵌装着したとき、嵌合凹部５１が操作体３３の操作頭部３４に嵌合し、キャップ４５が収納筒体２１から不測に外れるのを防止できるようにしたものである。その他の点は前記図１〜図５、図６、図７又は図８の実施の形態の場合と同様の構成である。
【００２０】
図１０は他の実施の形態を示し、前記操作体３３の操作頭部３４を瓢箪形状に形成すると共に、前記図１０の実施の形態の場合と同様に、キャップ４５の開口端側にこの操作頭部３４の形状に対応する嵌合凹部５１を設け、ブラシ本体２７を収納筒体２１に収納して収納筒体２１にキャップ４５を外嵌装着したとき、嵌合凹部５１が操作体３３の操作頭部３４に嵌合して、キャップ４５が収納筒体２１から不測に外れるのを防止できるようにしたものである。その他の点は前記図１〜図５、図６、図７又は図８の実施の形態の場合と同様の構成である。
【００２１】
【発明の効果】
本発明によれば、ブラシ本体２７を使用位置に移動させる際に、ブラシ毛２８が長孔２４の先端側の縁部に引っ掛かからないようになり、ブラシ毛２８が折れ曲がるのを防止できる。また、化粧用ブラシを短くてコンパクトに形成することができる。
【図面の簡単な説明】
【図１】本発明の一実施の形態を示す不使用状態の側断面図である。
【図２】同不使用状態の平面図である。
【図３】同図１のＡ−Ａ線断面図である。
【図４】同規制部材の平面図である。
【図５】同使用状態の側断面図である。
【図６】他の実施の形態を示す側断面図である。
【図７】他の実施の形態を示す背面断面図である。
【図８】他の実施の形態を示す背面断面図である。
【図９】他の実施の形態を示す平面図である。
【図１０】他の実施の形態を示す平面図である。
【図１１】従来例を示す不使用状態の側断面図である。
【図１２】同使用状態の側断面図である。
【図１３】同ブラシ本体を収納位置から使用位置に移動する途中の側断面図である。
【図１４】他の従来例を示す不使用状態の側断面図である。
【図１５】同使用状態の側断面図である。
【符号の説明】
２１    収納筒体
２４    長孔
２７    ブラシ本体
２８    ブラシ毛
３３    操作体
４１    規制部材
【図１】
0003691699.tif 000002
【図２】
0003691699.tif 000003
【図３】
0003691699.tif 000004
【図４】
0003691699.tif 000005
【図５】
0003691699.tif 000006
【図６】
0003691699.tif 000007
【図７】
0003691699.tif 000008
【図８】
0003691699.tif 000009
【図９】
0003691699.tif 000010
【図１０】
0003691699.tif 000011
【図１１】
0003691699.tif 000012
【図１２】
0003691699.tif 000013
【図１３】
0003691699.tif 000014
【図１４】
0003691699.tif 000015
【図１５】
0003691699.tif 000016